(57)【特許請求の範囲】
【請求項１】
温風暖房機に内蔵されるスピーカ装置であって、樹脂製のスピーカケースと、前記スピーカケースの先端開口の周囲に外周部が前方へ抜け止め状態に保持されているスピーカユニットと、を具備するスピーカ装置に於いて、
前記スピーカユニットの背面を押圧するユニット押えが前記スピーカケース内に配設されおり、
前記スピーカケースは樹脂筒で形成されたケース主体を具備し、
前記ケース主体の先端開口の内周には、前記スピーカユニットの外周部の後面に当接するユニット受が設けられており、
前記ケース主体の先端開口の周囲には、前方に突出する複数の弾性係合片が配設されていると共に、前記各弾性係合片には前記ケース主体の中心線側に迫り出す係合突起が設けられており、
音透過孔が開設された前カバーの外周部が、前記各係合突起に後方から係合することで前方へ抜け止めされると共に、前記前カバーの外周部と前記ユニット受けによって、前記スピーカユニットの外周部が前後に挟持されている、スピーカ装置。
【請求項２】
請求項１に記載のスピーカ装置に於いて、
前記スピーカユニットは、可動コイル型のスピーカユニットであり、
前記ユニット押えは、樹脂で形成されていると共に、弾性を有し、前記スピーカケースと一体成形されており、前記スピーカユニットの背面中央部に於ける永久磁石の装填部を押圧する、スピーカ装置。
【発明の詳細な説明】
【技術分野】
【０００１】
本発明は、スピーカ装置、更に詳しくは、温風暖房機に内蔵される音声ガイド用のスピーカ装置に関するものである。
【背景技術】
【０００２】
近年に於けるニーズの多様化により、温風暖房機の高機能化が進み、これに伴い、温風暖房機の操作や動作が複雑化している。かかる背景の下、操作方法や動作状態を説明する音声ガイド用のスピーカ装置が組み込まれた温風暖房機が種々提案されている。
図５は、従来例を説明する温風暖房機の一部切欠の正面図、図６は要部の断面斜視図である。
【０００３】
本体ケース(1)の底板(10)に形成された嵌入溝(11)には、樹脂製のスピーカケース(21)から垂下する取付脚(20)が強制嵌入されていると共に、該スピーカケース(21)の開口先端部の内周溝(23)には、前面が前カバー(22)で覆われたスピーカユニット(3)の外周部が強制嵌入され、これにより、スピーカユニット(3)が外周部にてスピーカケース(21)に保持されている。又、スピーカユニット(3)には図示しないリード線が配線接続されている。  このものでは、温風暖房機を運転させると、その動作状態や操作方法がスピーカユニット(3)から音声ガイドされるから、その対応が容易になり、温風暖房機の使い勝手が向上する。
【特許文献１】特開２０００−１１２４８７号公報
【発明の開示】
【発明が解決しようとする課題】
【０００４】
しかしながら、上記従来のものでは、スピーカユニット(3)の外周部がスピーカケース(21)の先端の内周溝(23)に強制嵌入状態で保持されているだけであるから、長期使用に伴って前記嵌入部が緩み、これにより、スピーカユニット(3)の装着部にガタツキが生じ易い。特に、暖房時にはスピーカケース(21)が熱膨張してスピーカユニット(3)の装着部が緩み易いと共に、ファンモータ(4)等の振動がスピーカユニット(3)の装着部に伝達されることから、一層ガタツキが生じ易くなる。
【０００５】
そして、スピーカユニット(3)の装着部にガタツキが生じると、音声ガイド時にビビリ音が発生すると共に、スピーカケース(21)での共鳴効果が低下して十分な音圧が得られないという問題があった。
本発明はかかる点に鑑みて成されたもので、
『温風暖房機に内蔵されるスピーカ装置であって、樹脂製のスピーカケースと、前記スピーカケースの先端開口の周囲に外周部が前方へ抜け止め状態に保持されているスピーカユニットと、を具備するスピーカ装置』に於いて、スピーカユニットの装着部のガタツキを長期に亘って防止することにより、該装着部のビビリ音の発生を防止すると共に、スピーカケース(21)での共鳴効果の低下を防止して十分な音圧が得られるようにすることを課題とする。
【課題を解決するための手段】
【０００６】
［請求項１に係る発明]
上記課題を解決するための請求項１に係る発明の解決手段は、
『前記スピーカユニットの背面を押圧するユニット押えが前記スピーカケース内に配設されており、
前記スピーカケースは樹脂筒で形成されたケース主体を具備し、
前記ケース主体の先端開口の内周には、前記スピーカユニットの外周部の後面に当接するユニット受が設けられており、
前記ケース主体の先端開口の周囲には、前方に突出する複数の弾性係合片が配設されていると共に、前記各弾性係合片には前記ケース主体の中心線側に迫り出す係合突起が設けられており、
音透過孔が開設された前カバーの外周部が、前記各係合突起に後方から係合することで前方へ抜け止めされると共に、前記前カバーの外周部と前記ユニット受けによって、前記スピーカユニットの外周部が前後に挟持されている』ことである。
【０００７】
前記解決手段によれば、スピーカケースの先端開口の周囲にスピーカユニットの外周部が前方へ抜け止め状態に保持され、且つ、スピーカユニットの背面がスピーカケース内のユニット押えで押圧されている。従って、スピーカユニットは、スピーカケースによる前記保持部（外周保持部）と前記ユニット押さえによって、前後から押圧された状態になる。
【０００８】
又、ユニット押えからスピーカユニットの背面に作用する押圧力は、スピーカケースに於けるスピーカユニットの外周保持部で受け止められる。従って、スピーカユニットには、前記ユニット押えからの押圧力によって、中央部が前方へ突出する方向に僅かに撓むような内部応力が発生する。従って、スピーカユニットの装着部に緩みの原因となるファンモータの振動や、暖房時の熱でスピーカケースの熱膨張が発生しても、これがスピーカユニットの前記内部応力に対応する前記撓みによって吸収される。これにより、スピーカユニットの装着部のガタツキを長期に亘って防止することができるから、該装着部のビビリ音の発生が防止できると共に、スピーカケースでの共鳴効果の低減を防止することができ、十分な音圧が確保できる。
また、スピーカケースを構成するケース主体に於ける先端開口の周囲から前方に突出した複数の弾性係合片で包囲された空間に、前方からスピーカユニットと前面カバーをこの順序で嵌入すると、前カバーの外周部が、前記各係合突起に後方から係合すると共に、前記前カバーの外周部と前記ユニット受けによって、前記スピーカユニットの外周部が前後に挟持され、これにより、スピーカユニットがスピーカケースに抜け止め状態に装着される。
【０００９】
［請求項２に係る発明]
請求項１に係る発明に於いて、
『前記スピーカユニットは、可動コイル型のスピーカユニットであり、
前記ユニット押えは、樹脂で形成されていると共に、弾性を有し、前記スピーカケースと一体成形されており、前記スピーカユニットの背面中央部に於ける永久磁石の装填部を押圧する』ものでは、スピーカユニットの永久磁石の装填部である背面中央部を樹脂製のユニット押えで押圧するから、ユニット押えが磁性体の場合と相違し、永久磁石で発生する磁界を乱すことがなく、音質低下を防止することができる。又、前記背面中央部を押圧することにより、ユニット押えによる押圧力が、スピーカユニットの外周部を保持しているスピーカケースの先端開口の周囲に均一に分散する。従って、スピーカユニットの背面中央からずれたフレーム部をユニット押えで押圧する場合に比べ、スピーカユニットをこれの外周保持部にバランス良く押圧・保持することができる。
また、スピーカユニットの背面がユニット押えで弾性的に押圧されるから、スピーカユニットの装着部が緩む原因となるファンモータの振動や、スピーカケースの熱膨張が発生しても、これがユニット押えの弾性変形で吸収される。これにより、スピーカユニットの装着部のガタツキを一層確実に防止することができる。
【発明の効果】
【００１４】
本発明は次の特有の効果を有する。
請求項１に係る発明では、スピーカユニットは、ユニット押えによる押圧力によって、中央部が前方へ突出する方向に僅かに撓む傾向になる。従って、スピーカユニットの装着部が緩む原因となるファンモータの振動や、暖房時の熱でスピーカケースの熱膨張が発生しても、これがスピーカユニットの前記撓みによって吸収されるから、スピーカユニットの装着部のガタツキを長期に亘って防止することができる。よって、前記装着部のビビリ音の発生が防止できると共に、スピーカケースでの共鳴効果の低減を防止することができ、十分な音圧が確保できる。
また、スピーカケースを構成するケース主体に於ける先端開口の周囲から前方に突出した複数の弾性係合片の内側に、スピーカユニットと前面カバーをこの順序で弾性的に嵌入するだけでスピーカユニットが装着できるから、スピーカ装置の組み立てが容易に行なえる。
【００１５】
請求項２に係る発明によれば、スピーカユニットの背面中央部をユニット押えで押圧するから、スピーカユニットの背面中央からずれたフレーム部をユニット押えで押圧する場合に比べ、スピーカユニットをこれの外周保持部にバランス良く押圧・保持することができる。
【００１６】
また、スピーカユニットの装着部が緩む原因となるファンモータの振動や、スピーカケースの熱膨張が発生しても、これがユニット押えの弾性変形で吸収される。これにより、スピーカユニットの装着部のガタツキを一層確実に防止することができる。
【発明を実施するための最良の形態】
【００１８】
以下に、本発明を実施するための最良の形態について添付図面を参照しながら説明する。
図１に示すように、温風暖房機の本体ケース(1)には、前面開放部を覆う前蓋(12)が着脱可能に取り付けられていると共に、本体ケース(1)内には、ファンモータ(4)で駆動される送風ファン(41)と、その近傍のスピーカ装置(B)が配設され、更に、熱源機としての図示しないガスバーナが設けられている。
【００１９】
図２に示すように、スピーカ装置(B)は、本体ケース(1)の底板(10)に凹設された嵌入溝(11)に嵌入固定される取付脚(50)を具備するスピーカケース(5)と、その先端開口(51)にて前方へ抜け止め状態に嵌入されたスピーカユニット(7)を備えている。
【００２０】
スピーカケース(5)は、全体が樹脂で一体成型されたもので、図２、３に示すように、円筒状のケース主体(53)（樹脂筒）を具備していると共に、その内周には、ユニット受け(54)が周方向に１２０度ピッチで突設されている。
ケース主体(53)の後端は開放しており、これにより、ケース主体(53)に音が籠らず、クリアな音質を担保することができるようになっている。
【００２１】
各ユニット受け(54)は、スピーカケース(5)の後端に設けられた内周フランジ(52)から先端開口(51)の手前までの長さを有しており、該ユニット受け(54)の先端部(55)は、スピーカユニット(7)の外周部(70)に後方から当接するようになっている。
【００２２】
各ユニット受け(54)の長手方向の中程から内側に延長する弾性アーム(56)は、ケース主体(53)と同心上に位置する押圧リング(57)に連結されており、該押圧リング(57)によって、スピーカユニット(7)の背面中央部が押圧されている。これにより、押圧リング(57)による押圧力が、スピーカユニット(7)の外周部を保持しているスピーカケース(5)の先端開口の周囲に均一に分散する。従って、後述するスピーカユニット(7)の背面フレーム(73)等のように、永久磁石(72)の装填部(71)からずれた部位をユニット押え(59)で押圧する場合に比べ、スピーカユニット(7)を、これの外周部にバランス良く押圧・保持することができる。
【００２３】
本実施の形態では可動コイル型のスピーカユニット(7)が使用されており、図４に示すように、該スピーカユニット(7)は、後方に窪んだ浅皿状の背面フレーム(73)と、該背面フレーム(73)の中央凹部である永久磁石(72)の装填部(71)と、背面フレーム(73)の前面を覆う振動膜(74)と、該振動膜(74)の中央裏面に連結された可動コイル(75)を具備している。可動コイル(75)は永久磁石(72)の外側に所定の間隙を存して外嵌している。
【００２４】
スピーカユニット(7)の前面は、多数の音透過孔(60)が開設された金属板を絞り加工した前カバー(6)で覆われていると共に、前カバー(6)の外周部は、ケース主体(53)の先端開口(51)の周囲から前方に突出する複数の弾性係合片(58)の先端から内側に迫り出す係合突起(580)に対して後方から係合している。これにより、前カバー(6)の外周部(61)と前記ユニット受け(54)によって、前記スピーカユニット(7)の外周部(70)が前後に挟持され（図２参照）、これにより、前カバー(6)及びスピーカユニット(7)が前方へ脱出するのが防止されている。
【００２５】
このものでは、弾性アーム(56)及び押圧リング(57)から成るユニット押え(59)からスピーカユニット(7)の背面に作用する押圧力は、ケース主体(53)に於けるスピーカユニット(7)の外周保持部（弾性係合片(58)の係合突起(580)に対応する部分）で受け止められる。これにより、ユニット押え(59)からの押圧力によって、スピーカユニット(7)には、ユニット押え(59)からの押圧力によって、中央部が前方へ突出する方向に僅かに撓むような内部応力が発生する。従って、スピーカユニット(7)の装着部に緩みの原因となるファンモータ(4)の振動や、暖房時の熱でスピーカケース(5)の熱膨張が発生しても、これがスピーカユニット(7)の前記撓みによって吸収される。これにより、スピーカユニット(7)の装着部のガタツキを長期に亘って防止することができるから、該装着部のビビリ音の発生が防止できると共に、スピーカケースでの共鳴効果の低減を防止することができ、十分な音圧が確保できる。
【００２６】
尚、上記実施の形態では、スピーカユニット(7)の背面中央部である永久磁石(72)の装填部(71)をユニット押え(59)で押圧したが、スピーカユニット(7)の背面フレーム(73)等、前記装填部(71)からずれた部位をユニット押え(59)で押圧してもよい。
【図面の簡単な説明】
【００２７】
【図１】本発明の実施の形態に係る温風暖房機の外観斜視図
【図２】スピーカ装置(B)の配設部の断面斜視図
【図３】スピーカ装置(B)の分解図
【図４】スピーカユニット(7)の要部断面図
【図５】従来例の説明図
【図６】従来例の説明図
【符号の説明】
【００２８】
(7)・・・スピーカユニット
(21)・・・スピーカケース
(51)・・・先端開口部
(54)・・・ユニット受け
(58)・・・弾性係合片
(59)・・・ユニット押え
(60)・・・音透過孔
(71)・・・装填部
(72)・・・永久磁石
(590)・・・係合突起
【図１】
0004965508.tif 000002
【図２】
0004965508.tif 000003
【図３】
0004965508.tif 000004
【図４】
0004965508.tif 000005
【図５】
0004965508.tif 000006
【図６】
0004965508.tif 000007